(57)【要約】【課題】流用先図面と流用元図面を総当りせずに設計者が図面の変更点を把握できるようにする。【解決手段】図面流用管理装置１の入力部１１は、設計者からの図面の参照要求を示す要求情報を取得する。画面生成部１３は、要求情報が示す図面に関連する流用情報を記憶部１２から読み出し、これを表示する流用情報画面を出力部１４に表示させる。入力部１１は、流用情報に基づいて設計者が選択した流用元図面を示す選択情報を取得する。画面生成部１３は、選択情報が示す流用元図面の図面情報を変更可能に表示する図面情報画面を出力部１４に表示させる。入力部１１は、設計者が流用元図面の図面情報を変更して作成した新規図面を示す図面情報を取得する。更新部１５は、選択情報が示す流用元図面と新規図面との変更点を抽出し、新規図面の流用情報および図面情報を記憶部１２に記憶する。【選択図】図１
2015201142.tif 000002
【特許請求の範囲】
【請求項１】
製品の設計における図面の流用を管理する図面流用管理装置であって、
作成された図面を示す図面情報と、前記作成された図面の流用関係と流用元図面からの変更点とを示す流用情報とを記憶する記憶部と、
設計者からの図面の参照要求を示す要求情報を取得する要求情報取得部と、
前記要求情報が示す図面の前記図面情報を変更可能に表示する図面情報画面を生成する図面情報画面生成部と、
前記図面情報画面を出力する図面情報出力部と、
前記設計者が前記図面情報画面に表示された前記図面情報を変更して作成した新規図面を示す前記図面情報を取得する新規図面取得部と、
前記要求情報が示す図面の前記図面情報と前記新規図面の前記図面情報とを比較して変更点を抽出し、前記新規図面の流用関係と抽出した変更点とを示す前記流用情報と、前記新規図面を示す前記図面情報と、を前記記憶部に記憶する更新部と、
を備える図面流用管理装置。
【請求項２】
前記要求情報が示す図面に関連する前記流用情報を表示する流用情報画面を生成する流用情報画面生成部と、
前記流用情報画面を出力する流用情報出力部と、
前記流用情報画面に表示された前記流用情報に基づいて、前記設計者が選択した流用元図面を示す選択情報を取得する選択情報取得部と、
をさらに備え、
前記選択情報取得部が前記選択情報を取得した場合、
前記図面情報画面生成部は、前記選択情報が示す流用元図面の前記図面情報を変更可能に表示する前記図面情報画面を生成し、
前記更新部は、前記選択情報が示す図面の前記図面情報と前記新規図面の前記図面情報とを比較して変更点を抽出し、前記新規図面の流用関係と抽出した変更点とを示す前記流用情報と、前記新規図面を示す前記図面情報と、を前記記憶部に記憶する請求項１に記載の図面流用管理装置。
【請求項３】
前記図面情報は、前記製品の部品構成を示す部品構成情報を含み、
前記更新部は、前記要求情報または前記選択情報が示す流用元図面の前記図面情報に含まれる前記部品構成情報と前記新規図面を示す図面情報に含まれる前記部品構成情報とを比較して、部品構成の変更点を抽出する請求項２に記載の図面流用管理装置。
【請求項４】
前記図面情報は、図面の画像を含み、
前記更新部は、前記要求情報または前記選択情報が示す図面の画像と前記新規図面の画像とを解析し、前記製品の部品の寸法および形状の少なくとも一方の変更点を抽出する請求項２または３に記載の図面流用管理装置。
【請求項５】
前記図面情報は、テキストを含む図面の画像を含み、
前記更新部は、前記要求情報または前記選択情報が示す図面の画像と前記新規図面の画像とを解析してテキストを抽出し、テキストの変更点を抽出する請求項２から４のいずれか１項に記載の図面流用管理装置。
【請求項６】
前記流用情報画面生成部は、前記要求情報が示す図面に関連する前記流用情報に含まれる各図面を識別するアイコンをそれぞれ流用元図面からの変更点とともに表示する前記流用情報画面を生成し、流用元図面からの変更点がより多い図面のアイコンを流用元図面のアイコンの位置からより遠く、変更点がより少ない図面のアイコンを流用元図面のアイコンの位置からより近くに表示する請求項２から５のいずれか１項に記載の図面流用管理装置。
【請求項７】
製品の設計における図面の流用を管理する図面流用管理装置が実行する図面流用管理方法であって、
設計者からの図面の参照要求を示す要求情報が示す図面の図面情報を変更可能に表示する図面情報画面を生成する図面情報画面生成ステップと、
前記図面情報画面を出力する図面情報出力ステップと、
前記設計者が前記図面情報画面に表示された図面情報を変更して作成した新規図面を示す図面情報を取得する新規図面取得ステップと、
前記要求情報が示す図面の図面情報と前記新規図面の図面情報とを比較して変更点を抽出し、前記新規図面の流用関係と抽出した変更点とを示す流用情報と、前記新規図面を示す図面情報と、を記憶する更新ステップと、
を備える図面流用管理方法。
【請求項８】
製品の設計における図面の流用を管理するコンピュータに、
設計者からの図面の参照要求を示す要求情報が示す図面の図面情報を変更可能に表示する図面情報画面を生成する図面情報画面生成ステップ、
前記図面情報画面を出力する図面情報出力ステップ、
前記設計者が前記図面情報画面に表示された図面情報を変更して作成した新規図面を示す図面情報を取得する新規図面取得ステップ、および、
前記要求情報が示す図面の図面情報と前記新規図面の図面情報とを比較して変更点を抽出し、前記新規図面の流用関係と抽出した変更点とを示す流用情報と、前記新規図面を示す図面情報と、を記憶する更新ステップ、
を実行させるプログラム。
【発明の詳細な説明】
【技術分野】
【０００１】
本発明は、製品の設計における図面の流用を管理する図面流用管理装置、図面流用管理方法およびプログラムに関する。
【背景技術】
【０００２】
製品の設計において、工数削減のため、要求されている製品仕様に類似した既存図面を一部変更して対応する図面流用が行われる。
【０００３】
特許文献１には、作業者により確認されたときのアセンブリ構成を容易に再現することができるＣＡＤデータを管理するためのプログラムが開示されている。
【０００４】
特許文献２から５には、シンボル表示位置の単なる変更は改定とみなさない等、設計者の意図を確実に反映できかつ接続図面の意味のある改定箇所を容易に確認することができる図面の編集表示装置が開示されている。
【先行技術文献】
【特許文献】
【０００５】
【特許文献１】特開２００２−２５９４６８号公報
【特許文献２】特開２００５−１５８０８４号公報
【特許文献３】特開２００５−１５８０８３号公報
【特許文献４】特開２００５−１４１７７８号公報
【特許文献５】特開２００３−０４４５３８号公報
【発明の概要】
【発明が解決しようとする課題】
【０００６】
特許文献１の技術では、流用元図面の情報を保持し、図面改訂があれば流用先図面へ反映するが、変更点を自動で抽出するものではない。また、変更点を情報として保持しないので、図面の変更点を把握するためには、流用先図面と流用元図面を総当りで比較して確認する必要がある。
【０００７】
特許文献２から５の技術では、図面の変更点の自動抽出を行っているが、ラダー図やフローチャート図など限定された領域においての変更点の自動抽出である。また、図面の変更点を強調表示するにすぎない。
【０００８】
本発明は、上述のような事情に鑑みてなされたもので、流用先図面と流用元図面を総当りせずに設計者が図面の変更点を把握できるようにすることを目的とする。
【課題を解決するための手段】
【０００９】
上記目的を達成するため、本発明に係る図面流用管理装置は、製品の設計における図面の流用を管理する図面流用管理装置である。図面流用管理装置は、記憶部、要求情報取得部、図面情報画面生成部、図面情報出力部、新規図面取得部、および、更新部を備える。記憶部は、作成された図面を示す図面情報と、作成された図面の流用関係と流用元図面からの変更点とを示す流用情報とを記憶する。要求情報取得部は、設計者からの図面の参照要求を示す要求情報を取得する。図面情報画面生成部は、要求情報が示す図面の図面情報を変更可能に表示する図面情報画面を生成する。図面情報出力部は、図面情報画面を出力する。新規図面取得部は、設計者が図面情報画面に表示された図面情報を変更して作成した新規図面を示す図面情報を取得する。更新部は、要求情報が示す図面の図面情報と新規図面の図面情報とを比較して変更点を抽出し、新規図面の流用関係と抽出した変更点とを示す流用情報と、新規図面を示す図面情報と、を記憶部に記憶する。
【発明の効果】
【００１０】
本発明によれば、図面作成時の流用元図面からの変更点を自動抽出し、流用元図面を識別する情報とともに流用情報として図面に対応付けて管理することで、設計者は流用情報を見れば、流用先図面と流用元図面を総当りせずに変更点を把握できる。
【図面の簡単な説明】
【００１１】
【図１】本発明の実施の形態に係る図面流用管理装置の構成例を示す図である。
【図２】実施の形態に係る流用情報の一例を示す図である。
【図３】実施の形態に係る流用情報画面の一例を示す図である。
【図４】実施の形態に係る図面流用管理処理の動作の一例を示すフローチャートである。
【図５】実施の形態に係る図面流用管理装置のハードウェア構成の一例を示すブロック図である。
【発明を実施するための形態】
【００１２】
以下に、本発明を実施するための形態について図面を参照して詳細に説明する。なお、図中同一または相当する部分には同じ符号を付す。
【００１３】
図１は、本発明の実施の形態に係る図面流用管理装置の構成例を示す図である。図面流用管理装置１は、入力部１１、記憶部１２、画面生成部１３、出力部１４および更新部１５を備える。
【００１４】
入力部１１は、設計者からの図面の参照要求を示す要求情報の入力を受け付ける。入力部１１は、入力された要求情報を画面生成部１３に送る。設計者が自らの端末に要求情報を入力し、設計者の端末が図面流用管理装置１に送信し、入力部１１が受信してもよい。入力部１１は、本発明の要求情報取得部として機能する。
【００１５】
記憶部１２は、作成された図面を示す図面情報と、作成された図面の流用関係と流用元図面からの変更点とを示す流用情報とを記憶する。図面情報には、図面を識別する図面識別情報が含まれる。
【００１６】
画面生成部１３は、入力部１１から要求情報を受け取ると、要求情報が示す図面に関連する流用情報を記憶部１２から検索する。図面に関連する流用情報とは、例えば、当該図面を流用元または流用先とする図面の流用関係および変更点を示す情報であってもよいし、流用元または流用先を辿れる範囲のすべての図面の流用関係および変更点を示す情報であってもよい。
【００１７】
流用情報がない場合には、画面生成部１３は、要求情報が示す図面の図面情報を記憶部１２から取得する。画面生成部１３は、取得した図面情報を変更可能に表示する図面情報画面を生成し、出力部１４に送る。画面生成部１３は、本発明の図面情報画面生成部として機能する。
【００１８】
流用情報がある場合には、画面生成部１３は、要求情報が示す図面に関連する流用情報を記憶部１２から取得する。画面生成部１３は、取得した流用情報を表示する流用情報画面を生成し、出力部１４に送る。画面生成部１３は、本発明の流用情報画面生成部として機能する。
【００１９】
出力部１４は、画面生成部１３から受け取った図面情報画面および流用情報画面を表示し、設計者に提示する。出力部１４は、設計者の端末に図面情報画面および流用情報画面を送信し、表示させることで設計者に提示してもよい。出力部１４は、本発明の図面情報画面出力部および流用情報画面出力部として機能する。
【００２０】
出力部１４に流用情報が表示された場合、設計者は、流用関係と変更点を参照し、入力部１１を介して、流用元図面として採用する図面を選択する。入力部１１は、選択された流用元図面を識別する図面識別情報を選択情報として画面生成部１３に送る。流用元図面の選択は、流用情報画面上で選択可能にしてもよいし、設計者が選択した流用元図面を識別する図面識別情報を入力部１１に入力してもよい。入力部１１は、本発明の選択情報取得部として機能する。
【００２１】
画面生成部１３は、入力部１１から選択情報を受け取ると、選択情報が示す流用元図面の図面情報を記憶部１２から取得する。画面生成部１３は、取得した図面情報を変更可能に表示する図面情報画面を生成し、出力部１４に送る。
【００２２】
出力部１４に図面情報が表示された場合、設計者は、表示された流用元図面に対し、入力部１１を介して図面の変更を行い、新規図面を作成する。入力部１１は、流用元図面を識別する図面識別情報と、新規図面を示す情報とを更新部１５に送る。入力部１１は、本発明の新規図面取得部として機能する。
【００２３】
更新部１５は、流用元図面を識別する図面識別情報と、新規図面を示す図面情報とを受け取ると、新規図面を示す情報に図面識別情報を付与し、図面情報として記憶部１２に記憶する。
【００２４】
また、更新部１５は、流用元図面の図面情報を記憶部１２から読み出し、新規図面を示す図面情報と比較し、変更点を抽出する。更新部１５は、新規図面を識別する図面識別情報と、流用元図面を識別する図面識別情報と、抽出した変更点を示す情報とを対応付けて、流用情報として記憶部１２に記憶する。
【００２５】
図２は、実施の形態に係る流用情報の一例を示す図である。流用情報は、図面を識別する「図面番号」と、当該図面の流用元図面を識別する「流用元図面番号」と、追加された部品を示す「変更点（追加）」と、削除された部品を示す「変更点（削除）」と、その他の変更点を示す「変更点（その他）」との項目で構成される。なお、流用情報は、製品を構成する部品の材質、寸法、加工方法など、その他の情報を含んでもよい。
【００２６】
図２の例では、図面番号１１１１の図面は、流用していない図面である。図面番号２２２２の図面は、図面番号１１１１の図面を流用しており、部品Ｂおよび部品Ｃが追加され、部品Ａが削除されている。図面番号３３３３の図面は、図面番号２２２２の図面を流用しており、部品Ｄの寸法が拡大されている。
【００２７】
図面番号４４４４の図面は、図面番号３３３３の図面を流用しており、部品Ｅの形状が変更されている。図面番号５５５５の図面は、図面番号３３３３の図面を流用しており、部品Ｇが追加され、部品Ｂが削除されている。また、部品Ｆの加工方法が変更されている。図面番号６６６６の図面は、図面番号３３３３の図面を流用しており、部品Ｈが追加されている。
【００２８】
図３は、実施の形態に係る流用情報画面の一例を示す図である。要求情報が示す図面が図面番号３３３３の図面であったとすると、画面生成部１３は、図面番号３３３３の図面に関連する流用情報を記憶部１２から取得し、取得した流用情報を表示する流用情報画面を生成し、出力部１４に送る。
【００２９】
図３の例では、画面生成部１３が、図２に示す図面番号３３３３の図面に関連する流用情報を表示する流用情報画面を示す。
【００３０】
図３では、図面番号３３３３の図面に関連する流用情報に含まれる各図面を、図面番号を示すアイコンで表し、矢印で流用関係を表している。また、流用元図面からの変更点がより多い図面のアイコンを流用元図面のアイコンの位置からより遠く、流用元図面からの変更点がより少ない図面のアイコンを流用元図面のアイコンの位置からより近くに表示している。さらに、流用関係とあわせて流用元図面からの変更点を表示している。
【００３１】
設計者は、このような流用情報画面を参照することで、参照要求した図面の流用関係を視覚的に把握することができる。また、流用関係とあわせて変更点が表示されているため、流用元図面の選択が容易となる。
【００３２】
例えば、設計者が作成する図面が図面番号３３３３の図面に部品Ｈを追加した仕様である場合、設計者は、図３に示す流用情報を参照することで、図面番号３３３３の図面に部品Ｈを追加した図面番号６６６６の図面がすでにあることを知ることができる。設計者は、要求されている製品仕様により近い図面番号６６６６の図面を流用元図面として選択することで、設計の手間を軽減することができる。
【００３３】
また、図３に示す流用情報を参照することで、例えば、図面番号３３３３の図面の部品Ｂの加工方法が変更された場合、設計の変更範囲として考えられるのは、図面番号３３３３の図面の流用元図面の図面番号２２２２の図面と、図面番号３３３３の図面の流用先図面の図面番号４４４４の図面と、図面番号６６６６の図面であって、部品Ｂを削除した図面番号５５５５の図面は対象とならないことを把握することができる。
【００３４】
図４は、実施の形態に係る図面流用管理処理の動作の一例を示すフローチャートである。図面流用管理処理は、図面流用管理装置１に電源が投入されると開始する。
【００３５】
図面流用管理装置１の入力部１１が、要求情報を取得しない場合（ステップＳ１１；ＮＯ）、ステップＳ１１を繰り返して、要求情報の取得を待機する。
【００３６】
要求情報を取得した場合（ステップＳ１１；ＹＥＳ）、入力部１１は、要求情報を画面生成部１３に送る。画面生成部１３は、入力部１１から要求情報を受け取ると、要求情報が示す図面に関連する流用情報を記憶部１２から検索する。
【００３７】
流用情報がない場合は（ステップＳ１２；ＮＯ）、画面生成部１３は、要求情報が示す図面の図面情報を記憶部１２から取得する。画面生成部１３は、要求情報が示す図面の図面情報を表示する図面情報画面を生成し、出力部１４に表示させる（ステップＳ１５）。
【００３８】
流用情報がある場合は（ステップＳ１２；ＹＥＳ）、画面生成部１３は、要求情報が示す図面に関連する流用情報を表示する流用情報画面を生成し、出力部１４に表示させる（ステップＳ１３）。
【００３９】
出力部１４に流用情報が表示されると、設計者は、流用関係と変更点を参照し、入力部１１を介して、採用する流用元図面を選択する。
【００４０】
入力部１１が、選択情報を取得しない場合（ステップＳ１４；ＮＯ）、ステップＳ１４を繰り返して、要求情報の取得を待機する。
【００４１】
選択情報を取得した場合（ステップＳ１４；ＹＥＳ）、入力部１１は、選択情報を画面生成部１３に送る。画面生成部１３は、選択情報が示す図面の図面情報を記憶部１２から取得する。画面生成部１３は選択情報が示す図面の図面情報を表示する図面情報画面を生成し、出力部１４に表示させる（ステップＳ１５）。
【００４２】
出力部１４に図面情報が表示されると、設計者は、表示された流用元図面に対し、入力部１１を介して図面の変更を行い、新規図面を作成する。
【００４３】
新規図面が作成されない場合（ステップＳ１６；ＮＯ）、ステップＳ１６を繰り返して、新規図面の作成を待機する。
【００４４】
新規図面が作成された場合（ステップＳ１６；ＹＥＳ）、入力部１１は、流用元図面を識別する図面識別情報と、新規図面を示す情報とを更新部１５に送る。
【００４５】
更新部１５は、流用元図面を識別する図面識別情報と、新規図面を示す情報とを受け取ると、新規図面を示す情報に図面識別情報を付与し、図面情報として記憶部１２に記憶する（ステップＳ１７）。
【００４６】
更新部１５は、流用元図面の図面情報を記憶部１２から読み出し、新規図面の図面情報と比較して、変更点を抽出する。
【００４７】
更新部１５は、流用元図面から部品構成の変更点があるか否かを判定する。流用元図面から部品構成の変更点がある場合（ステップＳ１８；ＹＥＳ）、更新部１５は、部品構成の変更点を抽出する（ステップＳ２２）。
【００４８】
流用元図面から部品構成の変更点がない場合（ステップＳ１８；ＮＯ）、更新部１５は、流用元図面から寸法の変更点があるか否かを判定する（ステップＳ１９）。流用元図面から寸法の変更点がある場合（ステップＳ１９；ＹＥＳ）、更新部１５は、寸法の変更点を抽出する（ステップＳ２２）。
【００４９】
流用元図面から寸法の変更点がない場合（ステップＳ１９；；ＮＯ）、更新部１５は、流用元図面から形状の変更点があるか否かを判定する（ステップＳ２０）。流用元図面から形状の変更点がある場合（ステップＳ２０；ＹＥＳ）、更新部１５は、形状の変更点を抽出する（ステップＳ２２）。
【００５０】
流用元図面から形状の変更点がない場合（ステップＳ２０；ＮＯ）、更新部１５は、流用元図面から加工方法の変更点があるか否かを判定する（ステップＳ２１）。流用元図面から加工方法の変更点がある場合（ステップＳ２１；ＹＥＳ）、更新部１５は、加工方法の変更点を抽出する（ステップＳ２２）。
【００５１】
流用元図面から加工方法の変更点がない場合（ステップＳ２１；ＮＯ）、更新部１５は、すべての変更点を抽出したか否かを判定する（ステップＳ２３）。すべての変更点を抽出していない場合（ステップＳ２３；ＮＯ）、ステップＳ１８に戻り、ステップＳ１８〜ステップＳ２３を繰り返す。
【００５２】
すべての変更点を抽出した場合（ステップＳ２３；ＹＥＳ）、新規図面を識別する図面識別情報と、流用元図面を識別する図面識別情報と、抽出した変更点を示す情報とを対応付けて、流用情報として記憶部１２に記憶する（ステップＳ２４）。
【００５３】
図面流用管理装置１の電源がＯＦＦになっていなければ（ステップＳ２５；ＮＯ）、ステップＳ１１に戻り、ステップＳ１１〜ステップＳ２５を繰り返す。電源がＯＦＦになった場合（ステップＳ２５；ＹＥＳ）、処理を終了する。
【００５４】
ステップＳ１８〜ステップＳ２１の変更点の抽出方法は、例えば、設計者が入力した部品構成・寸法・形状・加工方法の情報を比較して差異を判断する。部品の寸法・形状の変更点の抽出方法は、流用元図面と新規図面の画像を画像解析によって比較し、部品の寸法・形状などの差異を判断してもよい。
【００５５】
設計者が図面に書き込んだテキストを画像として処理する構成である場合には、流用元図面と新規図面の画像から画像解析によってテキストを抽出し、テキストの差異を判断する。テキストの抽出は、例えば、特定の文字「□」の後に部品の加工方法を記載するルールを設け、図面の画像から画像解析によって「□」を判別し、その後のテキストを抽出し、部品の加工方法として取得する。
【００５６】
以上説明したように実施の形態の図面流用管理装置１によれば、図面作成時の流用元図面からの変更点を自動抽出し、流用元図面を識別する情報とともに流用情報として図面に対応付けて管理し、図面の流用関係を流用元図面からの変更点とともに表示することで、流用先図面と流用元図面を総当りせずに設計者が変更点を把握できる。
【００５７】
上記の実施の形態では、流用情報画面を表示し、設計者が流用元図面として採用する図面を選択するが、これに限らず、設計者が、記憶部１２が記憶する流用情報を参照し、流用元図面として採用する図面を決定した上で、要求情報を入力部１１に入力してもよい。この場合、要求情報が示す図面が、設計者が選択した流用元図面であるので、要求情報が示す図面に関連する流用情報を記憶部１２から検索して設計者に提示する必要がない。
【００５８】
図５は、実施の形態に係る図面流用管理装置のハードウェア構成の一例を示すブロック図である。図面流用管理装置１は、図５に示すように、制御部５１、主記憶部５２、外部記憶部５３、操作部５４、表示部５５および送受信部５６を備える。主記憶部５２、外部記憶部５３、操作部５４、表示部５５および送受信部５６はいずれも内部バス５０を介して制御部５１に接続されている。
【００５９】
制御部５１はＣＰＵ（Central Processing Unit）などから構成され、外部記憶部５３に記憶されている制御プログラム５９に従って、図面流用管理装置１の画面生成部１３および更新部１５の各処理を実行する。
【００６０】
主記憶部５２はＲＡＭ（Random-Access Memory）などから構成され、外部記憶部５３に記憶されている制御プログラム５９をロードし、制御部５１の作業領域として用いられる。
【００６１】
外部記憶部５３は、フラッシュメモリ、ハードディスク、ＤＶＤ−ＲＡＭ、ＤＶＤ−ＲＷなどの不揮発性メモリから構成され、図面流用管理装置１の処理を制御部５１に行わせるためのプログラムをあらかじめ記憶し、また、制御部５１の指示に従って、このプログラムが記憶するデータを制御部５１に供給し、制御部５１から供給されたデータを記憶する。記憶部１２は外部記憶部５３に構成される。
【００６２】
操作部５４はキーボードおよびマウスなどのポインティングデバイスなどと、キーボードおよびポインティングデバイスなどを内部バス５０に接続するインタフェース装置から構成されている。操作部５４を介して、入力された情報が制御部５１に供給される。操作部５４は、入力部１１として機能する。
【００６３】
表示部５５は、ＣＲＴまたはＬＣＤなどから構成されている。表示部５５は、出力部１４として機能する。
【００６４】
送受信部５６は、ネットワークに接続する網終端装置または無線通信装置、およびそれらと接続するシリアルインタフェースまたはＬＡＮ（Local Area Network）インタフェースから構成されている。入力部１１および出力部１４が設計者の端末とネットワークを介して接続する構成の場合は、送受信部５６は入力部１１および出力部１４として機能する。
【００６５】
図１に示す図面流用管理装置１の入力部１１、記憶部１２、画面生成部１３、出力部１４および更新部１５の処理は、制御プログラム５９が、制御部５１、主記憶部５２、外部記憶部５３、操作部５４、表示部５５および送受信部５６などを資源として用いて処理することによって実行する。
【００６６】
その他、前記のハードウェア構成やフローチャートは一例であり、任意に変更および修正が可能である。
【００６７】
制御部５１、主記憶部５２、外部記憶部５３、操作部５４、表示部５５、送受信部５６、内部バス５０などから構成される図面流用管理装置１の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、当該コンピュータプログラムをコンピュータにインストールすることにより、前記の処理を実行する図面流用管理装置１を構成してもよい。また、インターネットなどの通信ネットワーク上のサーバ装置が有する記憶装置に当該コンピュータプログラムを格納しておき、通常のコンピュータシステムがダウンロードなどすることで図面流用管理装置１を構成してもよい。
【００６８】
また、図面流用管理装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６９】
また、搬送波にコンピュータプログラムを重畳し、通信ネットワークを介して提供することも可能である。例えば、通信ネットワーク上の掲示板（BBS, Bulletin Board System）に前記コンピュータプログラムを掲示し、ネットワークを介して前記コンピュータプログラムを提供してもよい。そして、このコンピュータプログラムを起動し、ＯＳの制御下で、他のアプリケーションプログラムと同様に実行することにより、前記の処理を実行できるように構成してもよい。
【符号の説明】
【００７０】
１  図面流用管理装置、１１  入力部、１２  記憶部、１３  画面生成部、１４  出力部、１５  更新部、５０  内部バス、５１  制御部、５２  主記憶部、５３  外部記憶部、５４  操作部、５５  表示部、５６  送受信部、５９  制御プログラム。
【図１】
2015201142.tif 000003
【図２】
2015201142.tif 000004
【図３】
2015201142.tif 000005
【図４】
2015201142.tif 000006
【図５】
2015201142.tif 000007